【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部と、前記境界線に対して前記凹部側の反対側に両端部がある反対側爪部とを含み、
前記反対側爪部の中心と、前記第２の凹部側爪部の中心と、前記第１の凹部側爪部の中心と、前記凹部の中心とを結ぶ四角形の内角のうち、前記反対側爪部の中心を頂点とする内角をθ１０、前記第２の凹部側爪部の中心を頂点とする内角をθ２０、前記第１の凹部側爪部の中心を頂点とする内角をθ３０、前記凹部の中心を頂点とする内角をθＬとするとき、
７５°≦θ１０≦１０５°
７５°≦θ２０≦１０５°
７５°≦θ３０≦１０５°
７５°≦θＬ≦１０５°
なる条件式を満足することを特徴とするアクセサリ。
【請求項２】
複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部と、前記境界線に対して前記凹部側の反対側に両端部がある反対側爪部とを含み、
前記反対側爪部の中心と、前記第２の凹部側爪部の中心と、前記第１の凹部側爪部の中心と、前記凹部の中心とを結ぶ四角形の内角のうち、前記反対側爪部の中心を頂点とする内角をθ１０、前記第２の凹部側爪部の中心を頂点とする内角をθ２０、前記第１の凹部側爪部の中心を頂点とする内角をθ３０、前記凹部の中心を頂点とする内角をθＬとするとき、
６０°≦θ１０≦１００°
６０°≦θ２０≦１００°
６０°≦θ３０≦１００°
６０°≦θＬ≦１００°
なる条件式を満足することを特徴とするアクセサリ。
【請求項３】
６５°≦θ１０≦１００°
６５°≦θ２０≦１００°
６５°≦θ３０≦１００°
６５°≦θＬ≦１００°
なる条件式を満足することを特徴とする請求項２に記載のアクセサリ。
【請求項４】
７０°≦θ１０≦１００°
７０°≦θ２０≦１００°
７０°≦θ３０≦１００°
７０°≦θＬ≦１００°
なる条件式を満足することを特徴とする請求項２に記載のアクセサリ。
【請求項５】
前記θ１０、前記θ２０、前記θ３０、及び前記θＬのうち少なくとも一つが８５度以上９５度以下であることを特徴とする請求項１乃至４のいずれか一項に記載のアクセサリ。
【請求項６】
８５°≦θＬ≦９５°
なる条件式を満足することを特徴とする請求項１乃至５のいずれか一項に記載のアクセサリ。
【請求項７】
９０°≦θＬ≦９５°
なる条件式を満足することを特徴とする請求項１乃至５のいずれか一項に記載のアクセサリ。
【請求項８】
０．７５≦θ３０／θ２０≦１．２５
なる条件式を満足することを特徴とする請求項１乃至７のいずれか一項に記載のアクセサリ。
【請求項９】
０．８５≦θ３０／θ２０≦１．１５
なる条件式を満足することを特徴とする請求項１乃至７のいずれか一項に記載のアクセサリ。
【請求項１０】
０．９５≦θ３０／θ２０≦１．０５
なる条件式を満足することを特徴とする請求項１乃至７のいずれか一項に記載のアクセサリ。
【請求項１１】
前記第１の凹部側爪部の前記凹部に近い側の端部及び前記中心軸を通る線と前記基準線とのなす角度をθ１、前記第２の凹部側爪部の前記凹部に近い側の端部及び前記中心軸を通る線と前記基準線とのなす角度をθ２とするとき、
１．００≦θ１／θ２≦１．４０
なる条件式を満足することを特徴とする請求項１乃至１０のいずれか一項に記載のアクセサリ。
【請求項１２】
１．００≦θ１／θ２≦１．３５
なる条件式を満足することを特徴とする請求項１１に記載のアクセサリ。
【請求項１３】
前記凹部は、前記第１の凹部側爪部の前記凹部に近い側の端部及び前記中心軸を通る線と、前記第２の凹部側爪部の前記凹部に近い側の端部及び前記中心軸を通る線との間の領域に設けられていることを特徴とする請求項１乃至１２のいずれか一項に記載のアクセサリ。
【請求項１４】
前記第１の凹部側爪部の前記凹部に近い側の端部及び前記中心軸を通る線と前記基準線とのなす角度をθ１、前記第２の凹部側爪部の前記凹部に近い側の端部及び前記中心軸を通る線と前記基準線とのなす角度をθ２とするとき、
９０°＜θ１＋θ２＜１８０°
なる条件式を満足することを特徴とする請求項１乃至１０のいずれか一項に記載のアクセサリ。
【請求項１５】
９０°＜θ１＋θ２＜１２０°
なる条件式を満足することを特徴とする請求項１４に記載のアクセサリ。
【請求項１６】
９０°＜θ１＋θ２＜１００°
なる条件式を満足することを特徴とする請求項１４に記載のアクセサリ。
【請求項１７】
前記中心軸の方向視において、前記基準線と前記反対側爪部とが重なることを特徴とする請求項１乃至１６のいずれか一項に記載のアクセサリ。
【請求項１８】
前記反対側爪部の前記第１の凹部側爪部の側の端部及び前記中心軸を通る線と前記基準線とのなす角度をθ３、前記反対側爪部の前記第２の凹部側爪部の側の端部及び前記中心軸を通る線と前記基準線とのなす角度をθ４とするとき、
０．６≦θ３／θ４≦０．９
なる条件式を満足することを特徴とする請求項１乃至１７のいずれか一項に記載のアクセサリ。
【請求項１９】
０．６≦θ３／θ４≦０．８
なる条件式を満足することを特徴とする請求項１８に記載のアクセサリ。
【請求項２０】
前記第１の凹部側爪部の前記凹部に近い側の端部及び前記中心軸を通る線と前記基準線とのなす角度をθ１、前記第２の凹部側爪部の前記凹部に近い側の端部及び前記中心軸を通る線と前記基準線とのなす角度をθ２とするとき、
４０°＜θ１＜７０°
４０°＜θ２＜７０°
なる条件式を満足することを特徴とする請求項１乃至１９のいずれか一項に記載のアクセサリ。
【請求項２１】
前記中心軸の方向視において、前記第１及び第２の凹部側爪部の双方が前記境界線と重なることを特徴とする請求項１乃至２０のいずれか一項に記載のアクセサリ。
【請求項２２】
前記第１及び第２の凹部側爪部の間の切欠き部の周方向における寸法は、前記第１の凹部側爪部と前記反対側爪部との間の切欠き部及び前記反対側爪部と前記第２の凹部側爪部との間の切欠き部の夫々の周方向における寸法よりも大きいことを特徴とする請求項１乃至２１のいずれか一項に記載のアクセサリ。
【請求項２３】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８とするとき、
０．７５≦θ７／θ８≦１．２５
なる条件式を満足することを特徴とする請求項１乃至２２のいずれか一項に記載のアクセサリ。
【請求項２４】
０．８０≦θ７／θ８≦１．２０
なる条件式を満足することを特徴とする請求項２３に記載のアクセサリ。
【請求項２５】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８、前記θ５の最大値をθ９とするとき、
９０°＜θ７＋θ８＜１８０°
９０°＜θ９＋θ８＜１８０°
なる条件式を満足することを特徴とする請求項１乃至２４のいずれか一項に記載のアクセサリ。
【請求項２６】
９０°＜θ７＋θ８＜１１０°
１４０°＜θ９＋θ８＜１７０°
なる条件式を満足することを特徴とする請求項２５に記載のアクセサリ。
【請求項２７】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記第１及び第２のマウント部が互いに当接した状態での前記中心軸の方向視において、前記第１の凹部側爪部と前記第３の爪部とが重なっている領域における前記ピンに最も近い点及び前記中心軸を通る線と前記基準線とのなす角度をθ５、前記第２の凹部側爪部と前記第２の爪部とが重なっている領域における前記ピンに最も近い点及び前記中心軸を通る線と前記基準線とのなす角度をθ６、前記θ５の最小値をθ７、前記θ６の最小値をθ８とするとき、
４５°≦θ７
４５°≦θ８
なる条件式を満足することを特徴とする請求項１乃至２６のいずれか一項に記載のアクセサリ。
【請求項２８】
前記複数の第１のバヨネット爪部は、前記反対側爪部と係合可能な第１の爪部と、前記第２の凹部側爪部と係合可能な第２の爪部と、前記第１の凹部側爪部と係合可能な第３の爪部とを含み、
前記撮像装置に前記アクセサリが装着された状態での前記中心軸の方向視において、前記第１の凹部側爪部と前記第３の爪部とが重なっている領域における両端部と、前記第２の凹部側爪部と前記第２の爪部とが重なっている領域における両端部と、前記反対側爪部と前記第１の爪部とが重なっている領域における両端部とを結ぶ六角形の辺のうち、前記ピンに最も近い辺が最も長いことを特徴とする請求項１乃至２７のいずれか一項に記載のアクセサリ。
【請求項２９】
前記第２の凹部側爪部の周方向における寸法は、前記第１の凹部側爪部及び前記反対側爪部の夫々の周方向における寸法よりも大きいことを特徴とする請求項１乃至２８のいずれか一項に記載のアクセサリ。
【請求項３０】
前記撮像装置に前記アクセサリが装着された際に、前記撮像装置が備える複数の第１の端子部と接触する複数の第２の端子部を有し、該複数の第２の端子部は、前記複数の第２のバヨネット爪部とは異なる位置に設けられていることを特徴とする請求項１乃至２９のいずれか一項に記載のアクセサリ。
【請求項３１】
前記複数の第２の端子部は、前記アクセサリが前記撮像装置に対して装着されているかどうかを判定するための端子部を含むことを特徴とする請求項３０に記載のアクセサリ。
【請求項３２】
前記複数の第２の端子部は、前記撮像装置に取り付けられたアクセサリの種類を判別するための端子部を含むことを特徴とする請求項３０または３１に記載のアクセサリ。
【請求項３３】
前記複数の第２の端子部は、前記撮像装置及び前記アクセサリの通信制御系をグラウンドに接続するための端子部と、前記通信制御系の動作に用いられる電力を前記撮像装置から前記アクセサリに供給するための端子部と、を含むことを特徴とする請求項３０乃至３２のいずれか一項に記載のアクセサリ。
【請求項３４】
前記複数の第２の端子部は、前記撮像装置及び前記アクセサリのメカニカル駆動系をグラウンドに接続するための端子部と、前記メカニカル駆動系の動作に用いられる電力を前記撮像装置から前記アクセサリに供給するための端子部と、を含むことを特徴とする請求項３０乃至３３のいずれか一項に記載のアクセサリ。
【請求項３５】
前記複数の第２の端子部は、前記撮像装置から出力されるクロック信号を受信するための端子部と、前記撮像装置と前記アクセサリとの双方向データ通信を行うための端子部と、前記撮像装置にデータを送信するための端子部と、を含むことを特徴とする請求項３０乃至３４のいずれか一項に記載のアクセサリ。
【請求項３６】
前記複数の第２の端子部は、前記撮像装置にデータを送信するための前記端子部とは独立して前記撮像装置にデータを送信するための端子部を含むことを特徴とする請求項３５に記載のアクセサリ。
【請求項３７】
前記複数の第２の端子部は、前記撮像装置と前記アクセサリとの双方向データ通信を行うための前記端子部とは独立して前記撮像装置と前記アクセサリとの双方向データ通信を行うための端子部と、前記撮像装置からの通信要求信号を受信するための端子部と、を含むことを特徴とする請求項３５又は３６に記載のアクセサリ。
【請求項３８】
光学系を有することを特徴とする請求項１乃至３７のいずれか一項に記載のアクセサリ。
【請求項３９】
レンズ装置に対して着脱可能であることを特徴とする請求項１乃至３８のいずれか一項に記載のアクセサリ。
【請求項４０】
前記レンズ装置と係合可能な複数の第３のバヨネット爪部を備える第３のマウント部を有し、該複数の第３のバヨネット爪部の周方向における寸法の最小値は、前記複数の第２のバヨネット爪部の間の切欠き部の周方向における寸法の最小値よりも大きいことを特徴とする請求項３９に記載のアクセサリ。
【請求項４１】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部に隣接する第１の切欠き部の周方向における寸法は、前記中心軸の方向視において該第１の切欠き部と重なる前記第３のバヨネット爪部の周方向における寸法よりも小さく、
前記反対側爪部に隣接する第２の切欠き部の周方向における寸法は、前記中心軸の方向視において該第２の切欠き部と重なる前記第３のバヨネット爪部の周方向における寸法よりも小さいことを特徴とする請求項３９または４０に記載のアクセサリ。
【請求項４２】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部に隣接する第１の切欠き部の周方向における寸法は、前記複数の第３のバヨネット爪部の夫々の周方向における寸法よりも小さく、
前記反対側爪部に隣接する第２の切欠き部の周方向における寸法は、前記複数の第３のバヨネット爪部の夫々の周方向における寸法よりも小さいことを特徴とする請求項３９乃至４１のいずれか一項に記載のアクセサリ。
【請求項４３】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記反対側爪部及び前記第１の凹部側爪部の最も離れた端部同士の周方向における間隔は、前記中心軸の方向視において前記反対側爪部及び前記第１の凹部側爪部と重なる前記第３のマウント部における第１及び第２の切欠き部の最も離れた端部同士の周方向における間隔よりも大きいことを特徴とする請求項３９乃至４２のいずれか一項に記載のアクセサリ。
【請求項４４】
前記レンズ装置と係合可能な複数の第３のバヨネット爪部を備える第３のマウント部を有し、
前記複数の第２のバヨネット爪部は、前記境界線に対して前記凹部側の反対側に両端部がある反対側爪部を含み、
前記中心軸の方向視において前記反対側爪部及び前記第１の凹部側爪部と重なる前記第３のマウント部における第１及び第２の切欠き部の最も離れた端部同士の周方向における間隔は、前記複数の第２のバヨネット爪部のうち互いに隣接する二つの第２のバヨネット爪部の最も離れた端部同士の周方向における間隔よりも小さく、
前記中心軸の方向視において前記２の凹部側爪部と重なる前記第３のマウント部における第３の切欠き部及び前記第１の切欠き部の最も離れた端部同士の周方向における間隔は、前記複数の第２のバヨネット爪部のうち互いに隣接する二つの第２のバヨネット爪部の最も離れた端部同士の周方向における間隔よりも小さいことを特徴とする請求項３９乃至４３のいずれか一項に記載のアクセサリ。
【請求項４５】
前記第２の凹部側爪部は、正位置において前記第１の凹部側爪部に対して重力方向の側に位置することを特徴とする請求項１乃至４４のいずれか一項に記載のアクセサリ。
【請求項４６】
前記第１のマウント部と前記ピンとを有し、請求項１乃至４５のいずれか一項に記載のアクセサリに対して着脱可能であることを特徴とする撮像装置。
【請求項４７】
請求項１乃至４５のいずれか一項に記載のアクセサリと請求項４６に記載の撮像装置とを備えることを特徴とする撮像システム。
【手続補正２】
【補正対象書類名】明細書
【補正対象項目名】発明の名称
【補正方法】変更
【補正の内容】
【発明の名称】アクセサリ及びこれを装着可能な撮像装置、撮像システム
【手続補正３】
【補正対象書類名】明細書
【補正対象項目名】０００７
【補正方法】変更
【補正の内容】
【０００７】
上記目的を達成するために、本発明のアクセサリは、複数の第１のバヨネット爪部を備える第１のマウント部とピンを有する撮像装置に対して着脱可能なアクセサリであって、
前記複数の第１のバヨネット爪部と係合可能な複数の第２のバヨネット爪部と、前記撮像装置に前記アクセサリが装着された際に前記ピンが挿入される凹部と、を備える第２のマウント部を有し、
前記第２のマウント部の中心軸の方向視において、前記凹部の中心及び前記中心軸を通る基準線と直交し前記中心軸を通る境界線に対して前記凹部が設けられている側を凹部側とするとき、前記複数の第２のバヨネット爪部は、前記凹部側に少なくとも一部がある第１及び第２の凹部側爪部と、前記境界線に対して前記凹部側の反対側に両端部がある反対側爪部とを含み、
前記反対側爪部の中心と、前記第２の凹部側爪部の中心と、前記第１の凹部側爪部の中心と、前記凹部の中心とを結ぶ四角形の内角のうち、前記反対側爪部の中心を頂点とする内角をθ１０、前記第２の凹部側爪部の中心を頂点とする内角をθ２０、前記第１の凹部側爪部の中心を頂点とする内角をθ３０、前記凹部の中心を頂点とする内角をθＬとするとき、
７５°≦θ１０≦１０５°
７５°≦θ２０≦１０５°
７５°≦θ３０≦１０５°
７５°≦θＬ≦１０５°
なる条件式を満足することを特徴とする。
【手続補正４】
【補正対象書類名】明細書
【補正対象項目名】００１０
【補正方法】変更
【補正の内容】
【００１０】
（交換レンズ及びカメラボディのブロック構成）
まず、図１を用いて本実施例における交換レンズ１００及びカメラボディ２００のブロック構成について説明する。図１は交換レンズ（光学機器、アクセサリ、レンズ装置）１００とカメラボディ２００を備えるカメラシステム（撮像システム）３００のブロック図である。図１と以後説明する各図においては不要な部品や意匠に関わる部品等は省略している。交換レンズ１００はカメラボディ２００に対して装着可能、着脱可能である。
【手続補正５】
【補正対象書類名】明細書
【補正対象項目名】００２８
【補正方法】変更
【補正の内容】
【００２８】
交換レンズ１００の中心軸方向視（レンズマウント１０１の中心軸方向視）、すなわち、交換レンズ１００の光軸方向視において、ロックピン溝部１０２の中心と交換レンズ１００の中心軸すなわち光軸Ｏを通る線を線Ｌ１（基準線）とする。なお、線Ｌ１をロックピン２０３の中心と光軸Ｏを通る線としてもよい。交換レンズ１００の中心軸あるいはレンズマウント１０１の中心軸を、レンズマウント１０１の開口部の中心軸としても良い。
【手続補正６】
【補正対象書類名】明細書
【補正対象項目名】０１２１
【補正方法】変更
【補正の内容】
【０１２１】
次に、図１１、図１２を参照して、本変形例に係るマウント機構のバヨネット結合方法について説明する。なお、レンズマウント１０１に設けられた各バヨネット爪は、操作部材５０３０の開口部分および固定マウント部５０２０の開口部分を挿通した状態で、可動マウント部５０１０の可動マウント爪部５０１１ａ〜ｃと係合可能な状態となる。図１１に図示する状態は、操作部５０３０が非ロック位置に位置する状態である。この状態では、レンズマウント１０１のレンズマウント面と固定マウント部５０２０のカメラマウント面５０２１とを当接するが、中心軸方向から見て、レンズマウント１０１および可動マウント部５０１０のそれぞれの爪部同士が互いに係合せず重ならない。図１１（ｃ）は、図１１（ｂ）に図示するＣ−Ｃ断面の断面図を示す。この状態から、操作部５０３０を回転操作した状態のマウント機構５０００を例示するのが図１２である。
【手続補正７】
【補正対象書類名】明細書
【補正対象項目名】０１３９
【補正方法】変更
【補正の内容】
【０１３９】
第１の動作は、各レンズ爪部が各カメラ切欠き部に入り込めるようにカメラ本体２００と交換レンズ１００との間の回転方向の位置を所定の位置に合わせて交換レンズ１００をカメラ本体２００に挿入する動作である。このとき、図３（ａ）に示すレンズ側径嵌合部１０９と図４（ａ）に示すカメラ側径嵌合部２１０とを径嵌合させる。また、第２の動作はレンズ側径嵌合部１０９とカメラ側径嵌合部２１０とが径嵌合した状態でロック位置に向けてカメラ本体２００と交換レンズ１００とを相対的に回転させる。そして、カメラ本体２００と交換レンズ１００が互いにバヨネット結合をした状態にする。